(57)【要約】【課題】使用者に対して振動を効率的に伝達すること。【解決手段】複数の面を有する筐体と、前記筐体のうち第一面に設けられた表示部と、複数の面を有する筐体と、前記筐体のうち第一面に設けられた表示部と、前記筐体のうち前記第一面とは異なる第二面の所定領域に対する接触の有無及び接触位置を検出し、前記表示部が設けられた領域に対応して前記所定領域が設定されている検出部を有する操作部とを備える。【選択図】図１
2013232731.tif 000002
【特許請求の範囲】
【請求項１】
複数の面を有する筐体と、
複数の前記面のうち隣接する二以上の面に接触するように設けられた振動部と、
前記筐体に収容され、前記振動部の振動を制御する制御部と
を備える電子機器。
【請求項２】
複数の前記面は、前記筐体が矩形の板状となるように配置されている
請求項１に記載の電子機器。
【請求項３】
前記振動部は、
前記制御部からの制御信号を受けて振動する振動素子と、
当該振動部の接触対象面のそれぞれに支持され、前記振動素子を保持する保持面を有する保持部と
を有する
請求項１又は請求項２に記載の電子機器。
【請求項４】
前記振動素子は、前記保持面に交差する方向に振動するように設けられている
請求項３に記載の電子機器。
【請求項５】
前記保持部は、前記保持面が形成された板状部材を有し、
前記板状部材は、前記保持面に平行な方向における両端部が、それぞれ隣接する前記接触対象面に接続されている
請求項３又は請求項４に記載の電子機器。
【請求項６】
前記保持部は、前記振動素子と前記接触対象面のそれぞれとの間を埋めるように設けられている埋設部材を有する
請求項３から請求項５のうちいずれか一項に記載の電子機器。
【請求項７】
前記振動部は、前記筐体の角部に配置されている
請求項１から請求項６のうちいずれか一項に記載の電子機器。
【請求項８】
前記筐体のうち一の面に設けられた表示部
を更に備える請求項１から請求項７のうちいずれか一項に記載の電子機器。
【発明の詳細な説明】
【技術分野】
【０００１】
本発明は、電子機器に関する。
【背景技術】
【０００２】
携帯電話や携帯情報端末などの電子機器として、例えば特許文献１が知られている。特許文献１に示すような電子機器においては、ユーザに振動を検知させる構成が用いられる場合がある。このような振動を発生させる振動発生装置として、例えば振動モーターが知られている。
【先行技術文献】
【特許文献】
【０００３】
【特許文献１】特開２０１０−８６０８９号公報
【発明の概要】
【発明が解決しようとする課題】
【０００４】
上記のような振動発生装置を備える電子機器において、使用者に対して振動を効率的に伝達する構成が求められている。
【０００５】
以上のような事情に鑑み、本発明は、使用者に対して振動を効率的に伝達することができる電子機器を提供することを目的とする。
【課題を解決するための手段】
【０００６】
本発明の態様に従えば、複数の面を有する筐体と、複数の前記面のうち隣接する二以上の面に接触するように設けられた振動部と、前記筐体に収容され、前記振動部の振動を制御する制御部とを備える電子機器が提供される。
【発明の効果】
【０００７】
本発明の態様によれば、使用者に対して振動を効率的に伝達することができる。
【図面の簡単な説明】
【０００８】
【図１】本発明の実施の形態に係る携帯情報端末の構成を示す斜視図である。
【図２】本実施形態に係る携帯情報端末の一部の構成を示す側面図である。
【図３】本実施形態に係る携帯情報端末の一部の構成を示す断面図である。
【図４】本実施形態に係る携帯情報端末の一部の構成を示す平面図である。
【図５】本実施形態に係る携帯情報端末の動作の一形態を示す図である。
【図６】本実施形態に係る携帯情報端末の動作の一形態を示す図である。
【図７】本実施形態に係る携帯情報端末の他の形態を示す図。
【図８】本実施形態に係る携帯情報端末の他の形態を示す図。
【図９】本実施形態に係る携帯情報端末の他の形態を示す図。
【発明を実施するための形態】
【０００９】
以下、図面を参照しながら本発明の一実施形態について詳しく説明する。  
図１は、本実施形態に係る携帯情報端末ＥＱＰの構成を示す斜視図である。  
図１に示すように、携帯情報端末（電子機器）ＥＱＰは、制御装置ＣＯＮＴと、表示部ＤＰと、基板ＢＰと、カメラモジュールＣＭと、充電池ＢＴと、操作部ＳＤと、接続部ＭＴと、マイクＭＣと、スピーカＳＰと、振動部ＡＴと、第一接続部ＭＳとを有しており、これらは筐体ＦＬに収容されている。筐体ＦＬは、例えば矩形の板状に形成されている。
【００１０】
制御装置ＣＯＮＴと、表示部ＤＰと、基板ＢＰと、カメラモジュールＣＭと、充電池ＢＴと、操作部ＳＤと、接続部ＭＴと、マイクＭＣと、スピーカＳＰと、複数の振動部ＡＴと、第一接続部ＭＳとは、電気的に接続されている。また、これらの回路は、第二接続部ＭＴの電気接点部を介して、外部機器が電気的に接続可能である。
【００１１】
表示部ＤＰは、矩形に形成されており、筐体ＦＬのうち板面に設けられている。筐体ＦＬのうち当該表示部ＤＰが設けられる面を、以下表示面Ｆｅと表記する。表示部ＤＰは、例えば液晶装置や有機ＥＬ装置などを有する表示パネルを有している。表示パネルの表示領域には、タッチパネルが設けられている。この表示領域は矩形である。タッチパネルは、表示領域に対する接触の有無及び接触位置を検出する。図示するように、表示面Ｆｅと表示パネルの表示領域はほぼ等しい。また、表示面Ｆｅには、表示部ＤＰのみが設けられている。
【００１２】
操作部ＳＤは、筐体ＦＬのうち表示面Ｆｅを囲む４辺に相当する４つの側面Ｆａ〜Ｆｄに設けられている。操作部ＳＤは、側面Ｆａに設けられた側部検出部ＳＤ１、側面Ｆｂに設けられた側部検出部ＳＤ２、側面Ｆｃに設けられた側部検出部ＳＤ３及び側面Ｆｄに設けられた側部検出部ＳＤ４を有している。操作部ＳＤは、側部検出部ＳＤ１〜ＳＤ４において外部からの（例えばユーザの）接触の有無及び接触位置を検出する。
【００１３】
例えば、ユーザの指などが側部検出部ＳＤ２の検出領域の一部分に接触すると、側部検出部ＳＤ２の静電容量が変化するようになっている。また、一部分に接触していたユーザの指などの接触状態が解除されると、側部検出部ＳＤ２静電容量が元の状態に戻るようになっている。
【００１４】
このように、側部検出部ＳＤ２では、接触部分の静電容量が局所的に変化するように構成されている。このような静電容量の変化は、制御装置ＣＯＮＴに送信される。制御装置ＣＯＮＴでは、当該静電容量の変化を検出することにより、外部からの接触の有無及び接触位置を算出可能である。なお、例えばユーザが検出領域に沿って接触部分を移動させる場合、静電容量の変化する位置が接触部分の移動に伴って移動する。制御装置ＣＯＮＴでは、この静電容量の変化する位置の移動（移動方向、移動距離及び移動速度）についても検出可能である。他の側部検出部ＳＤ１、ＳＤ３及びＳＤ４についても同様である。
【００１５】
基板ＢＰは、筐体ＦＬ内に設けられる。基板ＢＰには、制御装置ＣＯＮＴと、例えばＷｉＦｉ（Wireless Fidelity）等により無線通信を行う無線通信部と、加速度センサやジャイロ（角速度センサ）、ＧＰＳ(Global Positioning System)等の各種センサとが設置されている。制御装置ＣＯＮＴは、メモリとＣＰＵ（中央演算装置）を備え、携帯情報端末ＥＱＰを統括して制御する。
【００１６】
充電池ＢＴは、各部に電力を供給する。充電池ＢＴは、筐体ＦＬ内に設けられ、必要によっては筐体ＦＬから取り外し可能にすることもできる。カメラモジュールＣＭは、レンズとイメージセンサとを備え、被写体を撮像し画像データを生成する。ここでのカメラモジュールＣＭは、そのレンズが筐体ＦＬのうち表示面Ｆｅの背面Ｆｆに設けられているが、その個数や設置場所は必要に応じ変えられる。
【００１７】
第二接続部ＭＴは、背面Ｆｆのほぼ中心部に設けられ、外部機器を機械的又は電気的に接続する。
【００１８】
図２は、携帯情報端末ＥＱＰを表示面Ｆｅ側から見たときの図であり、側部検出部ＳＤ１〜ＳＤ４を断面で示している。  
図２に示すように、各側部検出部ＳＤ１〜ＳＤ４は、矩形に形成された表示部ＤＰの各辺の位置に配置されると共に、表示部ＤＰの寸法に対応する寸法に形成されている。
【００１９】
具体的には、側部検出部ＳＤ１〜ＳＤ４の検出領域２０は、表示部ＤＰの一辺に対応する位置に配置されている。また、側部検出部ＳＤ１〜ＳＤ４の検出領域２０の長手方向の寸法は、表示部ＤＰの一辺の寸法に等しくなっている。
【００２０】
図３は、携帯情報端末ＥＱＰの背面図である。携帯情報端末ＥＱＰの背面Ｆｆには、第二接続部ＭＴと、カメラモジュールＣＭと、第一接続部ＭＳとが設けられている。このほか、携帯情報端末ＥＱＰの背面Ｆｆには、マイクＭＣ及びスピーカＳＰが設けられている。
【００２１】
第二接続部ＭＴは、電気接点部を備えるバヨネット式のマウントであり、筐体ＦＬと外部機器とを締結する。外部機器は、例えば、レンズとイメージセンサを備えたカメラモジュールやメモリ等を備えたイーゼル、スピーカユニット、ハードディスク、楽器等である。第二接続部ＭＴに外部機器が装着されると、外部機器の電気接点部と第二接続部ＭＴの電気接点部とが接触し、外部機器が携帯情報端末ＥＱＰの各部と電気的に接続する。第一接続部ＭＳは、メモリカード（外部メモリ）等を電気的に接続させるＵＳＢ（Universal Serial Bus）端子等のインタフェースである。
【００２２】
振動部ＡＴは、筐体ＦＬに対して振動を伝達する振動源である。振動部ＡＴは、複数（本実施形態では４つ）の振動素子ＡＴ１〜ＡＴ４を有している。振動素子ＡＴ１〜ＡＴ４は、筐体ＦＬの４つの角部に１つずつ設けられている。各振動素子ＡＴ１〜ＡＴ４は、規定の周波数（共振周波数）を持つリニア振動アクチュエータである。振動部ＡＴは、制御部ＣＯＮＴによってその動作が制御されるようになっている。
【００２３】
図４は、振動素子ＡＴ１〜ＡＴ４の構成を示す図である。なお、図４では、１つの振動素子（例えば振動素子ＡＴ１）を代表させて示している。また、以下の図４の説明は振動素子ＡＴ１に関するものであるが、振動素子ＡＴ２〜ＡＴ４に対しても同様の説明が可能である。
【００２４】
図４に示すように、振動素子ＡＴ１は、板状部材（保持部）６０に保持されている。板状部材６０は、板状に形成されており、振動素子ＡＴ１を保持する保持面６０ａを有している。保持面６０ａは、筐体ＦＬの平面視中央部に向けられている。保持面６０ａの反対側の面６０ｄは、筐体ＦＬの角部に向けられている。当該面６０ｄと筐体ＦＬの角部との間には、隙間が形成されている。
【００２５】
板状部材６０のうち平面視で保持面６０ａに平行な方向の第一端部６０ｂは、筐体ＦＬの面Ｆａに接続されている。また、板状部材６０のうち同方向の第二端部６０ｃは、筐体ＦＬの面Ｆｄに接続されている。したがって、振動素子ＡＴ１は、板状部材６０を介して筐体ＦＬの面Ｆａ及び面Ｆｄに接触されている。振動素子ＡＴ１は、保持面６０ａに交差する方向に振動するように配置されている。本実施形態では、振動素子ＡＴ１は、保持面６０ａに垂直な方向に振動する。
【００２６】
次に、上記のように構成された携帯情報端末ＥＱＰの動作を説明する。  
携帯情報端末ＥＱＰは、制御装置ＣＯＮＴのメモリや外部メモリ等に記憶された画像データや無線通信部を介して通信された画像データを表示部ＤＰに出力して画像として表示する。また、携帯情報端末ＥＱＰは、同様に制御装置ＣＯＮＴのメモリや外部メモリ等に記憶された音声データをスピーカＳＰから出力する。更に、携帯情報端末ＥＱＰは、外部との間でこれら画像データ及び音声データを含むデータの通信を行う。また、携帯情報端末ＥＱＰは、第二接続部ＭＴに外部機器が接続されると、接続された外部機器に応じた動作をする。また、携帯情報端末ＥＱＰは、通信データの受信やアラーム等のイベントが発生すると振動部ＡＴを振動させる。
【００２７】
［ユーザ操作］  
制御装置ＣＯＮＴは、ユーザの操作に基づいて、画像データや音声データの出力及び通信を行う。携帯情報端末ＥＱＰの筐体ＦＬの姿勢が、例えば図５に示すように、側面Ｆａから側面Ｆｂに向けた方向が重力方向である場合、制御装置ＣＯＮＴは、表示部ＤＰの表示領域３１〜４０において、例えば処理１〜処理１０に対応した識別表示を表示させる。
【００２８】
例えば、制御装置ＣＯＮＴは、表示部ＤＰの４辺のうち図中上側の辺に沿った領域内に４つの単位領域を設定し、これらの単位領域をそれぞれ表示領域３１〜３４として設定する。また、制御装置ＣＯＮＴは、表示領域３１〜３４に対応するように、側部検出部ＳＤ１の検出領域２０に４つの単位領域を設定し、これらの単位領域をそれぞれ接触領域（Ａ１）〜（Ｄ１）とする。
【００２９】
また、制御装置ＣＯＮＴは、表示部ＤＰの４辺のうち図中下側の辺に沿った領域内に２つの単位領域を設定し、これらの単位領域をそれぞれ表示領域３９及び４０として設定する。また、制御装置ＣＯＮＴは、当該２つの表示領域３９及び４０に対応するように、側部検出部ＳＤ１の検出領域２０に４つの単位領域を設定し、これらの単位領域をそれぞれ接触領域（Ｍ１）及び（Ｎ１）とする。
【００３０】
同様に、制御装置ＣＯＮＴは、表示部ＤＰの４辺のうち図中左側の辺及び図中右側の辺に沿った領域内にも、それぞれ表示領域を設定する。なお、表示領域３１は表示部ＤＰの左上角部に設けられており、表示領域３９は表示部ＤＰの左下角部に設けられており、表示領域３４は図中右上角部に設けられており、表示領域４０は図中右下角部に設けられているため、これら表示領域３１、３４、３９及び４０については、２つの接触領域に対して共通の表示領域として設定する。
【００３１】
したがって、図中左側の辺には表示領域３１、３５、３７及び３９が設定されると共に、図中右側の辺には表示領域３４、３６、３８及び４０が設定される。また、制御装置ＣＯＮＴは、側部検出部ＳＤ３の検出領域２０については、表示領域３１、３５、３７及び３９に対応するように４つの単位領域を設定し、これらの単位領域をそれぞれ接触領域（Ｅ１）、（Ｇ１）、（Ｉ１）及び（Ｋ１）とする。また、制御装置ＣＯＮＴは、側部検出部ＳＤ４の検出領域２０については、表示領域３４、３６、３８及び４０に対応するように４つの単位領域を設定し、これらの単位領域をそれぞれ接触領域（Ｆ１）、（Ｈ１）、（Ｊ１）及び（Ｌ１）とする。
【００３２】
この状態で制御装置ＣＯＮＴは、ユーザが表示領域３１〜４０のうちいずれかの領域に接触するのを待機した状態とする。加えて、制御装置ＣＯＮＴは、ユーザが側部検出部ＳＤ１〜ＳＤ４に接触するのを待機した状態とする。
【００３３】
ユーザがタッチパネルのうち表示領域３１〜４０のいずれかに重なる領域に接触した場合、制御装置ＣＯＮＴはタッチパネル上の接触位置を検出し、当該接触位置に表示された識別表示に対応する処理を実行する。例えば、ユーザがタッチパネルのうち表示領域３１に重なる部分に接触した場合、制御装置ＣＯＮＴは当該表示領域３１に表示された処理（処理１）を行う。
【００３４】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ１の接触領域（Ａ１）内の位置であった場合、表示部ＤＰのうち当該接触領域（Ａ１）に対応する部分に表示された処理１を行う。また、接触位置が側部検出部ＳＤ１の接触領域（Ｂ１）内の位置あった場合、表示部ＤＰのうち当該接触領域（Ｂ１）に対応する部分に表示された処理２を行う。同様に、側部検出部ＳＤ１の接触領域（Ｃ１）内に接触位置が検出された場合には、表示部ＤＰのうち接触領域（Ｃ１）に対応する部分に表示された処理３を行う。また、接触領域（Ｄ１）に接触が検出された場合には、表示部ＤＰのうち接触領域（Ｄ１）に対応する部分に表示された処理４を行う。
【００３５】
更に、側部検出部ＳＤ２に接触があった場合、接触位置が接触領域（Ｍ１）内の位置であれば処理９が行われ、接触位置が接触領域（Ｎ１）内の位置であれば処理１０が行われる。同様に、側部検出部ＳＤ３の場合、接触位置が接触領域（Ｅ１）内の位置であった場合には処理１が行われ、接触位置が接触領域（Ｇ１）内の位置であった場合には処理５が行われ、接触位置が接触領域（Ｉ１）の位置であった場合には処理７が行われ、接触位置が接触領域（Ｋ１）内の位置であった場合には処理９が行われる。
【００３６】
また、側部検出部ＳＤ４についても同様に、接触位置が接触領域（Ｆ１）内の位置であった場合には処理４が行われ、接触位置が接触領域（Ｈ１）内の位置であった場合には処理６が行われ、接触位置が接触領域（Ｊ１）内の位置であった場合には処理８が行われ、接触位置が接触領域（Ｌ１）内の位置であった場合には処理１０が行われる。
【００３７】
このように、制御装置ＣＯＮＴは、タッチパネルによる入力、側部検出部ＳＤ１〜ＳＤ４による入力、の両方に対応するように処理を行う。この場合、制御装置ＣＯＮＴは、処理１〜処理１０の識別表示を表示部ＤＰの４辺に沿った位置に表示させるようにする。制御装置ＣＯＮＴは、当該表示部ＤＰの４辺に対応する側部検出部ＳＤ１〜ＳＤ４での接触を検出した場合、各処理１〜処理１０を行う。このような動作により、ユーザに側部検出部ＳＤ１〜ＳＤ４による入力を直感的に行わせることができる。
【００３８】
また、携帯情報端末ＥＱＰの筐体ＦＬの姿勢が、例えば図６に示すように、側面Ｆｄから側面Ｆｃに向けた方向が重力方向となるように切り替わった場合、制御装置ＣＯＮＴは、表示部ＤＰの表示領域４１〜５０に識別表示を表示させるように表示を切り替える。この状態で制御装置ＣＯＮＴは、ユーザが表示領域４１〜５０のうちいずれかの領域に接触するのを待機した状態とすると共に、ユーザが側部検出部ＳＤ１〜ＳＤ４に接触するのを待機した状態とする。
【００３９】
この場合、図５に示す状態と同様に、ユーザがタッチパネルのうち表示領域４１〜５０のいずれかに重なる領域に接触した場合、制御装置ＣＯＮＴは表示部検出部５２ｂによってタッチパネル上の接触位置を検出し、当該接触位置に表示された識別表示に対応する処理を実行する。例えば、ユーザがタッチパネルのうち表示領域４１に重なる部分に接触した場合、制御装置ＣＯＮＴは当該表示領域４１に表示された処理（処理１）を行う。
【００４０】
また、ユーザが側部検出部ＳＤ１〜ＳＤ４のいずれかに接触した場合、制御装置ＣＯＮＴは、側部検出部ＳＤ１〜ＳＤ４のどこに接触したのか、接触位置を検出する。例えば接触位置が側部検出部ＳＤ４の接触領域（Ａ２）内の位置であった場合、表示部ＤＰのうち当該接触領域（Ａ２）に対応する部分に表示された処理１を行う。また、接触位置が側部検出部ＳＤ４の接触領域（Ｂ２）内の位置あった場合、表示部ＤＰのうち当該接触領域（Ｂ２）に対応する部分に表示された処理２を行う。同様に、側部検出部ＳＤ４の接触領域（Ｃ２）内に接触位置が検出された場合には、表示部ＤＰのうち接触領域（Ｃ２）に対応する部分に表示された処理３を行う。また、接触領域（Ｄ２）に接触が検出された場合には、表示部ＤＰのうち接触領域（Ｄ２）に対応する部分に表示された処理４を行う。
【００４１】
更に、側部検出部ＳＤ３に接触があった場合、接触位置が接触領域（Ｍ２）内の位置であれば処理９が行われ、接触位置が接触領域（Ｎ２）内の位置であれば処理１０が行われる。同様に、側部検出部ＳＤ１の場合、接触位置が接触領域（Ｅ２）内の位置であった場合には処理１が行われ、接触位置が接触領域（Ｇ２）内の位置であった場合には処理５が行われ、接触位置が接触領域（Ｉ２）の位置であった場合には処理７が行われ、接触位置が接触領域（Ｋ２）内の位置であった場合には処理９が行われる。
【００４２】
また、側部検出部ＳＤ２についても同様に、接触位置が接触領域（Ｆ２）内の位置であった場合には処理４が行われ、接触位置が接触領域（Ｈ２）内の位置であった場合には処理６が行われ、接触位置が接触領域（Ｊ２）内の位置であった場合には処理８が行われ、接触位置が接触領域（Ｌ２）内の位置であった場合には処理１０が行われる。
【００４３】
このように、例えば図５に示す筐体ＦＬの姿勢と図６に示す筐体ＦＬの姿勢のように、筐体ＦＬの姿勢が異なる場合には、同一の処理を行うための接触位置を表示と共に適宜切り替えることができるので、ユーザに側部検出部ＳＤ１〜ＳＤ４による入力を直感的に行わせることができる。
【００４４】
また、表示パネルが設けられる表示領域を矩形としたことにより、筐体ＦＬの姿勢を変化させたときに画像データの表示方向を切り替える場合に、表示する画像データの縦横比を変更する必要がない。これにより、表示の切り替えにかかる時間を短縮することができる。
【００４５】
また、第二接続部ＭＴを背面Ｆｆに設けたことにより、表示面には表示部ＤＰのみを設け、側面には操作部ＳＤのみを設けることができる。これにより、表示パネルが設けられる表示領域及び検出領域２０を比較的広くすることができる。
【００４６】
［振動発生］  
続いて、イベント発生時に携帯情報端末ＥＱＰが発生する振動について説明する。制御装置ＣＯＮＴは、イベントと振動パターンを対応付けた対応テーブルを予め記憶している。そして、制御装置ＣＯＮＴは、イベントが発生すると、発生したイベントに対応する振動パターンを対応テーブルから読み出し、読み出した振動パターンで振動部ＡＴを振動させる。例えば、制御装置ＣＯＮＴは、イベント「通常データ受信」が発生すると、複数の振動部ＡＴのうちいずれか１つを振動させる。また、制御装置ＣＯＮＴは、イベント「重要データ受信」が発生すると、複数の振動部ＡＴ全てを振動させる。
【００４７】
また、制御装置ＣＯＮＴは、イベント「アラーム」が発生すると、振動部ＡＴ１を１４８Ｈｚで振動させるとともに、振動部ＡＴ３を１５２Ｈｚで振動させる。これにより、４Ｈｚのうなり振動が発生する。また、振動パターンの例として、複数の振動部ＡＴを異なる周波数で同時に振動させる他に、複数の振動素子を異なる強度で同時に振動させることも考えられる。この場合、各振動素子の強度比を時間に応じて変化させてもよい。これにより、携帯情報端末ＥＱＰは、ユーザが認識可能な複数種類の周波数の振動をイベントに応じて発生することができる。
【００４８】
振動部ＡＴを振動させる場合、振動素子ＡＴ１〜ＡＴ４による振動は、それぞれの振動素子ＡＴ１〜ＡＴ４を保持する板状部材６０を介して筐体ＦＬに伝達される。例えば振動素子ＡＴ１については、板状部材６０に伝達された振動の一部は、第一端部６０ｂを介して筐体ＦＬの面Ｆａに伝達される。この振動の振動方向は、面Ｆａに交差する（ここでは例えば垂直な）方向である。また、板状部材６０に伝達された振動の一部は、第二端部６０ｃを介して筐体ＦＬの面Ｆｄに伝達される。この振動の振動方向は、面Ｆｄに交差する（ここでは例えば垂直な）方向である。
【００４９】
したがって、振動素子ＡＴ１において生じた振動は、板状部材６０を介して筐体ＦＬの面Ｆａ及び面Ｆｄに伝達されることになる。このため、面Ｆａや面Ｆｄを保持する使用者に対して、振動が直接的に伝達されているような感覚を与えることができる。振動素子ＡＴ２〜振動素子ＡＴ４についても同様である。
【００５０】
以上のように、本実施形態に係る携帯情報端末（電子機器）ＥＱＰは、複数の面を有する筐体ＦＬと、複数の面のうち隣接する二以上の面に接触するように設けられた振動部ＡＴと、筐体ＦＬに収容され振動部ＡＴの振動を制御する制御部ＣＯＮＴとを備えることとしたので、振動部ＡＴにおいて発生した振動が、筐体ＦＬの複数の面のうち振動部ＡＴの接触対象面に直接的に伝達されるため、筐体ＦＬを保持する使用者に対して振動が直接的に伝達されているような感覚を与えることができる。これにより、使用者に対して振動を効率的に伝達することができる。
【００５１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００５２】
例えば、上記実施形態においては、振動素子ＡＴ１〜ＡＴ４が板状部材６０によって保持されると共に、当該板状部材６０が筐体ＦＬの隣接する面に接続された構成を例に挙げて説明したが、これに限られることは無い。
【００５３】
例えば、図７に示すように、振動素子ＡＴ１と筐体ＦＬとの間に埋設部材１６０が設けられた構成であっても構わない。当該埋設部材１６０は、振動素子ＡＴ１と筐体ＦＬの面Ｆａ、面Ｆｄ及び角部との間を埋めるように配置されている。振動素子ＡＴ１は、埋設部材１６０の側面１６０ｂ及び側面１６０ｃを介して筐体ＦＬの面Ｆａ及び面Ｆｄにそれぞれ接続されている。振動素子ＡＴ１は、埋設部材１６０の保持面１６０ａに保持されている。振動素子ＡＴ１は、例えば当該保持面１６０ａに垂直な方向に振動方向を有している。
【００５４】
振動素子ＡＴ１による振動は、埋設部材１６０を介して筐体ＦＬに伝達される。埋設部材１６０に伝達された振動の一部は、側面１６０ｂを介して面Ｆａに伝達される。この振動の振動方向は、面Ｆａに垂直な方向である。また、埋設部材１６０に伝達された振動の一部は、側面１６０ｃを介して面Ｆｄに伝達される。この振動の振動方向は、面Ｆｄに垂直な方向である。
【００５５】
このような構成であっても、振動部ＡＴにおいて発生した振動が、筐体ＦＬの複数の面のうち振動部ＡＴの接触対象面に直接的に伝達されるため、筐体ＦＬを保持する使用者に対して振動が直接的に伝達されているような感覚を与えることができる。これにより、操作性に優れた携帯情報端末ＥＱＰを提供することができる。なお、図７では、１つの振動素子（例えば振動素子ＡＴ１）を代表させて示しており、振動素子ＡＴ１に関して説明したが、振動素子ＡＴ２〜ＡＴ４に対しても同様の説明が可能である。
【００５６】
また、例えば図８に示すように、筐体ＦＬの角部Ｆｇが面取りされた状態に形成され、振動素子ＡＴ１が角部Ｆｇの保持面Ｆｈに直接保持された構成であっても構わない。振動素子ＡＴ１は、例えば保持面Ｆｈに垂直な方向に振動方向を有している。
【００５７】
振動素子ＡＴ１による振動は、角部Ｆｇを介して筐体ＦＬの面Ｆａ及び面Ｆｄに伝達される。面Ｆａに伝達される振動の振動方向は、当該面Ｆａに垂直な方向である。また、面Ｆｄに伝達される振動の振動方向は、当該面Ｆｄに垂直な方向である。
【００５８】
このような構成であっても、振動部ＡＴにおいて発生した振動が、筐体ＦＬの複数の面のうち振動部ＡＴの接触対象面に直接的に伝達されるため、筐体ＦＬを保持する使用者に対して振動が直接的に伝達されているような感覚を与えることができる。これにより、操作性に優れた携帯情報端末ＥＱＰを提供することができる。なお、図８では、１つの振動素子（例えば振動素子ＡＴ１）を代表させて示しており、振動素子ＡＴ１に関して説明したが、振動素子ＡＴ２〜ＡＴ４に対しても同様の説明が可能である。
【００５９】
また、上記実施形態においては、筐体ＦＬのうち隣接する２つの面に振動部ＡＴが接触する構成を例に挙げて説明したが、これに限られることは無い。  
例えば、振動部ＡＴが隣接する３つの面に接触する構成であっても構わない。図９に示すように、振動素子ＡＴ１は、筐体ＦＬの面Ｆａ、面Ｆｄ及び面（底面）Ｆｉによって形成される角部に配置されており、これら３つの面（面Ｆａ、面Ｆｄ及び面Ｆｉ）に接触されている。
【００６０】
振動素子ＡＴ１は、例えば筐体ＦＬの角部Ｐから振動素子ＡＴ１の頂点Ｑへ向けた方向に振動するように形成することができる。この場合、振動素子ＡＴ１による振動は、面Ｆａに対しては当該面Ｆａに垂直な方向に伝達され、面Ｆｄに対しては当該面Ｆｄに垂直な方向に伝達され、面Ｆｉに対しては当該面Ｆｉに垂直な方向に伝達されることになる。
【００６１】
このような構成であっても、振動部ＡＴにおいて発生した振動が、筐体ＦＬの複数の面のうち振動部ＡＴの接触対象面に直接的に伝達されるため、筐体ＦＬを保持する使用者に対して振動が直接的に伝達されているような感覚を与えることができる。これにより、操作性に優れた携帯情報端末ＥＱＰを提供することができる。なお、図９では、１つの振動素子（例えば振動素子ＡＴ１）を代表させて示しており、振動素子ＡＴ１に関して説明したが、振動素子ＡＴ２〜ＡＴ４に対しても同様の説明が可能である。
【００６２】
また、上記構成の他に、例えば振動素子ＡＴ１〜ＡＴ４が筐体ＦＬの側面である面Ｆａ〜面Ｆｄの一部と、筐体ＦＬの底面Ｆｉ（図９参照）の一部とに接触している構成であっても構わない。振動部ＡＴにおいて発生した振動が、筐体ＦＬの複数の面のうち振動部ＡＴの接触対象面に直接的に伝達されるため、筐体ＦＬを保持する使用者に対して振動が直接的に伝達されているような感覚を与えることができる。
【００６３】
また、上記実施形態においては、側部検出部ＳＤ１〜ＳＤ４の構成として、接触によって静電容量が変化するのを検出する構成を例に挙げて説明したが、これに限られることは無く、例えば、接触によって電圧が変化するのを検出する構成（例えば、抵抗膜方式のタッチセンサ等）としても構わない。また、側部検出部ＳＤ１〜ＳＤ４の構成として、電極を設ける構成の他、例えば表面弾性波方式や赤外線方式など、電極を設けない構成であっても構わない。
【００６４】
また、上記実施形態においては、側部検出部ＳＤ１〜ＳＤ４が筐体ＦＬの側面Ｆａ〜Ｆｄのそれぞれに配置された構成を例に挙げて説明したが、これに限られることは無い。例えば、側部検出部が側面Ｆａ〜Ｆｄのうち１面以上３面以下の面に設けられている構成であっても構わない。
【００６５】
また、上記実施形態においては、表示部ＤＰの表面にタッチパネルが設けられた構成を例に挙げて説明したが、これに限られることは無く、タッチパネルが設けられない構成であっても構わない。この場合、操作部ＳＤに設けられる側部検出部ＳＤ１〜ＳＤ４を用いて操作する構成となる。この構成により、タッチパネルを設けなくても高い操作性を得ることができるため、携帯情報端末の低コスト化を図ることができる。
【００６６】
また、上記実施形態においては、側部検出部ＳＤ１〜ＳＤ４のそれぞれを複数の接触領域に区切るように制御する態様を例に挙げて説明したが、これに限られることは無い。例えば、側部検出部ＳＤ１〜ＳＤ４の複数の接触領域に区切らずに、１つの側部検出部に接触すると１つの処理を行うように設定しても構わない。
【００６７】
また、上記実施形態においては、センサにより筐体ＦＬの姿勢を検出し、検出結果に基づいて表示部ＤＰにおける表示を切り替えるように制御する態様を例に挙げて説明したが、これに限られることは無い。例えば、センサの検出結果によらず一定の表示を行うように制御しても構わない。また、センサの検出結果に基づいて表示を切り替えるモードと、検出結果によらず一定の表示を行うモードとをユーザが設定可能な態様であっても構わない。
【００６８】
また、上記実施形態においては、電極１０のうち表面側電極１０ａが側面Ｆａ〜Ｆｄのうち他の部分と面一状態になっている構成を例に挙げて説明したが、これに限られることは無い。例えば表面側電極１０ａが側面Ｆａ〜Ｆｄの他の部分よりも筐体ＦＬの内部側に配置されている構成（表面側電極１０ａが凹んだ位置に配置されている構成）であっても構わないし、表面側電極１０ａが側面Ｆａ〜Ｆｄの他の部分よりも筐体ＦＬの外部側に配置されている構成（表面側電極１０ａが突出した位置に配置されている構成）であっても構わない。
【００６９】
また、上記実施形態においては、筐体ＦＬが矩形に形成された板状の構成を例に挙げて説明したが、これに限られることは無い。例えば、筐体ＦＬが矩形や円形、三角形、多角形など、他の形状に形成された板状の構成であっても構わない。また、筐体ＦＬが球状や多角柱状、円筒状など、板状に限らず他の形状に形成された構成であっても構わない。
【符号の説明】
【００７０】
ＥＱＰ…携帯情報端末  ＦＬ…筐体  ＤＰ…表示部  ＳＤ…操作部  ＣＯＮＴ…制御装置  ＥＬ…有機  ＰＮ…表示パネル  ＴＰ…タッチパネル  Ｆｅ…表示面  Ｆａ〜Ｆｄ…側面  ＳＤ１〜ＳＤ４…側部検出部  １０…電極  １０ａ…表面側電極  １０ｂ…内部側電極  １０ｃ…誘電体  ２０…検出領域  ３１〜４０、４１〜５０…表示領域  ５１…制御部  ５２…入力部  ５２ｂ…表示部検出部  ５２ｃ…姿勢検出部  ５３…出力部  ５３ｂ…音声出力部  ６０…板状部材  １６０…埋設部材
【図１】
2013232731.tif 000003
【図２】
2013232731.tif 000004
【図３】
2013232731.tif 000005
【図４】
2013232731.tif 000006
【図５】
2013232731.tif 000007
【図６】
2013232731.tif 000008
【図７】
2013232731.tif 000009
【図８】
2013232731.tif 000010
【図９】
2013232731.tif 000011